(57)【要約】【課題】ユーザの操作に応じた信号を発振するリモートコントローラから発振される信号に対して、ソースデバイスが表示している映像を供給しているデバイスの操作を可能にすること。【解決手段】  デジタルテレビが表示を行っている映像の供給元を検出し、検出結果に応じてリモコンからの赤外線信号に対応するＣＥＣメッセージを検出し、検出されたソースデバイス宛にＣＥＣコマンドをＣＥＣ送受信部１０５から出力する。【選択図】    図６
2010004496.tif 000002
【特許請求の範囲】
【請求項１】
複数のコネクタであって、各コネクタはソースデバイスから映像信号が入力され、動作制御用の各種コマンドを入出力が行われる複数のコネクタと、
前記各種コマンドを前記コネクタ経由で送受信するコマンド送受信手段と、
前記コネクタ経由で入力された映像信号に基づいた映像を表示する表示部と、
ユーザの操作に応じた信号を出力するリモートコントローラと、
前記リモートコントローラが出力した信号を受信し、受信した信号を電気信号に変換するワイヤレス信号受信部と、
前記ワイヤレス信号受信部が変換した電気信号に対応するコード信号に変換する変換手段と、
前記コード信号に対して、前記複数のコネクタに接続されているそれぞれのソースデバイスに対応するそれぞれのメッセージを管理する手段と、
前記表示部が表示している映像の供給元のソースデバイスを検出する検出手段と、
前記管理手段から、前記コード信号および前記検出されたソースデバイスに対応するメッセージを取得する手段と、
前記取得したメッセージに対応するコマンドを前記コマンド送受信手段から前記検出されたソースデバイス宛に出力させるための手段と
を具備することを特徴とするシンクデバイス。
【請求項２】
前記リモートコントローラの操作によって発生する映像の供給元を切り替える信号を監視することによって、前記映像の供給元のソースデバイスを検出することを特徴とする請求項１に記載のシンクデバイス。
【請求項３】
前記コネクタは、ＨＤＭＩ（High-Definition-Multimedia Interface）ケーブルを取り外し自在に接続することを特徴とする請求項１に記載のシンクデバイス。
【請求項４】
前記検出手段は、前記ＨＤＭＩケーブルに流れる<set stream path>メッセージを監視することによって、前記映像の供給元のソースデバイスを検出することを特徴とする請求項３に記載のシンクデバイス。
【請求項５】
複数の映像入力コネクタを有し、各映像入力コネクタには映像信号が入力されると共に、動作制御用の各種コマンドの入出力が行われ、前記複数の映像入力コネクタ中の一つの映像入力コネクタを経由して入力されている映像信号に応じた映像を表示する表示部を有するシンクデバイスに対して、前記映像信号の出力および前記各種コマンドの送受信を行うソースデバイスであって、
前記映像信号を出力し、前記各種コマンドを入出力するための複数の映像出力コネクタと、
前記各種コマンドを前記コネクタ経由で送受信するコマンド送受信手段と、
ユーザの操作に応じた信号を出力するリモートコントローラと、
前記リモートコントローラが出力した信号を受信し、受信した信号を電気信号に変換するワイヤレス信号受信部と、
前記ワイヤレス信号受信部が変換した電気信号に対応するコード信号に変換する変換手段と、
前記コード信号対して、前記複数のコネクタに接続されているそれぞれのソースデバイスに対応するそれぞれのメッセージを管理する手段と、
前記ソースデバイスの表示部が表示している映像の供給元のソースデバイスを検出する手段と、
前記検出されたソースデバイスが自機とは異なるソースデバイスの場合、前記管理手段から、前記コード信号および前記検出されたソースデバイスに対応するメッセージを取得する手段と、
前記検出されたソースデバイス宛の前記取得したメッセージに対応するコマンドを前記コマンド送受信手段から出力させるための手段と
を具備することを特徴とするソースデバイス。
【請求項６】
前記映像出力コネクタおよび前記映像入力コネクタは、ＨＤＭＩ（High-Definition-Multimedia Interface）ケーブルを取り外し自在に接続することを特徴とする請求項５に記載のソースデバイス。
【請求項７】
前記検出手段は、前記ＨＤＭＩケーブルに流れる<set stream path>メッセージを監視することによって、前記ソースデバイスを検出することを特徴とする請求項６に記載のソースデバイス。
【請求項８】
前記検出手段は、<Request Active Source>メッセージを前記ＨＤＭＩケーブルに出力し、前記<Request Active Source>メッセージに応じて前記シンクデバイスが返す<Active Source>メッセージによって前記映像の供給元のソースデバイスを検出することを特徴とする請求項６に記載のソースデバイス。
【発明の詳細な説明】
【技術分野】
【０００１】
本発明は、シンクデバイスおよびソースデバイスに関する。
【背景技術】
【０００２】
現在、テレビと録画装置との間の映像信号および音声信号の伝達にＨＤＭＩ（Ｈｉｇｈ−Ｄｅｆｉｎｉｔｉｏｎ Ｍｕｌｔｉｍｅｄｉａ Ｉｎｔｅｒｆａｃｅ）規格が用いられつつある。
【０００３】
ＨＤＭＩ規格では、オプションとして、ＣＥＣ（Ｃｏｎｓｕｍｅｒ Ｅｌｅｃｔｒｏｎｉｃｓ Ｃｏｎｔｒｏｌ）規格（非特許文献１参照）が定義されている。ＣＥＣ規格は、ＨＤＭＩ端子にある１本の端子（ＣＥＣ端子）を介して、ＨＤＭＩ接続機器の制御を相互に行うことができるシリアル通信プロトコルである。
【０００４】
特許文献１には、シンク機器と複数のソース機器をＨＤＭＩケーブルのＣＥＣラインで接続し、リモコンでシンク機器を経由して、各ソース機器を操作することを開示している。
【特許文献１】特開２００８−４８１３７号公報
【発明の開示】
【発明が解決しようとする課題】
【０００５】
前述した文献が開示しているリモコンは、ソースデバイスおよびシンクデバイスのそれぞれに対応するコマンドを記憶しておき、ソース機器から送信される操作デバイスに応じて送信するコマンドを切り替えるというものである。
【０００６】
一般に使用されているリモコンは、操作ボタンの操作に応じて対応する信号を送信するだけである。上述したような制御機構を有するリモコンを付属させると、製品の価格が上がってしまう。
【０００７】
本発明の目的は、ユーザの操作に応じた信号を発振するリモートコントローラから発振される信号に対して、ソースデバイスが表示している映像を供給しているデバイスの操作を行うことが可能なシンクデバイスおよびソースデバイスを提供することにある。
【課題を解決するための手段】
【０００８】
本発明の一例に係わるシンクデバイスは、複数のコネクタであって、各コネクタはソースデバイスから映像信号が入力され、動作制御用の各種コマンドを入出力が行われる複数のコネクタと、前記各種コマンドを前記コネクタ経由で送受信するコマンド送受信手段と、前記コネクタ経由で入力された映像信号に基づいた映像を表示する表示部と、ユーザの操作に応じた信号を出力するリモートコントローラと、前記リモートコントローラが出力した信号を受信し、受信した信号を電気信号に変換するワイヤレス信号受信部と、前記ワイヤレス信号受信部が変換した電気信号に対応するコード信号に変換する変換手段と、前記コード信号に対して、前記複数のコネクタに接続されているそれぞれのソースデバイスに対応するそれぞれのメッセージを管理する手段と、前記表示部が表示している映像の供給元のソースデバイスを検出する検出手段と、前記管理手段から、前記コード信号および前記検出されたソースデバイスに対応するメッセージを取得する手段と、前記取得したメッセージに対応するコマンドを前記コマンド送受信手段から前記検出されたソースデバイス宛に出力させるための手段とを具備することを特徴とする。
【０００９】
本発明の一例に係わるソースデバイスは、複数の映像入力コネクタを有し、各映像入力コネクタには映像信号が入力されると共に、動作制御用の各種コマンドの入出力が行われ、前記複数の映像入力コネクタ中の一つの映像入力コネクタを経由して入力されている映像信号に応じた映像を表示する表示部を有するシンクデバイスに対して、前記映像信号の出力および前記各種コマンドの送受信を行うソースデバイスであって、前記映像信号を出力し、前記各種コマンドを入出力するための複数の映像出力コネクタと、前記各種コマンドを前記コネクタ経由で送受信するコマンド送受信手段と、ユーザの操作に応じた信号を出力するリモートコントローラと、前記リモートコントローラが出力した信号を受信し、受信した信号を電気信号に変換するワイヤレス信号受信部と、前記ワイヤレス信号受信部が変換した電気信号に対応するコード信号に変換する変換手段と、前記コード信号対して、前記複数のコネクタに接続されているそれぞれのソースデバイスに対応するそれぞれのメッセージを管理する手段と、前記ソースデバイスの表示部が表示している映像の供給元のソースデバイスを検出する手段と、前記検出されたソースデバイスが自機とは異なるソースデバイスの場合、前記管理手段から、前記コード信号および前記検出されたソースデバイスに対応するメッセージを取得する手段と、前記検出されたソースデバイス宛の前記取得したメッセージに対応するコマンドを前記コマンド送受信手段から出力させるための手段とを具備することを特徴とする。
【発明の効果】
【００１０】
本発明によれば、ユーザの操作に応じた信号を発振するリモートコントローラから発信される信号に対して、ソースデバイスが表示している映像を供給しているデバイスの操作を行うことが可能になる。
【発明を実施するための最良の形態】
【００１１】
本発明の実施の形態を以下に図面を参照して説明する。
【００１２】
［第１の実施形態］
図１は、本発明の第１の実施形態に係わるＨＤＭＩ（High-Definition Multimedia Interface）システムを示す概略図である。
【００１３】
ＨＤＭＩシステム１００は、アンテナから地上デジタル放送波を受信し復調して表示、または外部入力から映像信号を受信して表示する電子機器であるデジタルテレビ１と、ＣＥＣ機器から入力する音声信号の増幅および再生またはＣＥＣ機器から入力する映像信号および音声信号の出力切り替え等を行うＡＶ（Audio and Visual）アンプ２と、ＢＳ（Broadcast Satellite）やＣＳ（Communication Satellite）等の衛星放送を受信して復調するチューナとしてのセットトップボックス３と、ＨＤ ＤＶＤ（High-Definition Digital Versatile Disc）やＤＶＤ等のメディアを再生するＤＶＤプレーヤ４と、放送および外部入力からの映像信号を記録し、記録したコンテンツを外部に出力可能なＨＤＤ（Hard Disc Drive）レコーダ５とを有し、それぞれを図示するようにＨＤＭＩケーブル６で接続することで構成される。リモコン１Ｂは、デジタルテレビ１を操作する専用リモコンであるが、ＨＤＭＩケーブル６を介して他の電子機器に命令信号を送信して操作することも可能である。また、リモコン５Ｂは、ＤＶＤレコーダ５を操作する専用リモコンであるが、ＨＤＭＩケーブル６を介して他の電子機器に命令信号を送信して操作することも可能である。
【００１４】
デジタルテレビ１は、ＨＤＭＩケーブル６で接続された各電子機器との接続を、デジタルテレビ１の電源投入時に確認するほか、通常動作中に定期的に確認する。接続確認の情報の送受信はＨＤＭＩケーブル６のＣＥＣ制御ラインを用いて行う。
【００１５】
図２（Ａ）および（Ｂ）は、本発明の第１の実施形態に係わるＨＤＭＩシステムの構成を示すブロック図である。
【００１６】
図２（Ａ）に示すように、デジタルテレビ１は、ＨＤＭＩ端子の入力１および入力２を有し、デジタルテレビ１の入力１にＡＶアンプ２の出力がＨＤＭＩケーブル６を介して接続され、デジタルテレビ１の入力２にＨＤＤレコーダ５の出力がＨＤＭＩケーブル６を介して接続される。また、デジタルテレビ１は、アンテナ１Ａを介して地上デジタル放送波を受信する。
【００１７】
ＡＶアンプ２は、ＨＤＭＩ端子の入力１および入力２を有し、ＡＶアンプ２の入力１にセットトップボックス３の出力がＨＤＭＩケーブル６を介して接続され、ＡＶアンプ２の入力２にＤＶＤプレーヤ４の出力がＨＤＭＩケーブル６を介して接続される。また、セットトップボックス３は、アンテナ３Ａを介してＢＳおよびＣＳの放送波を受信する。
【００１８】
ＨＤＤレコーダ５は、アンテナ５Ａを介して地上デジタル放送波を受信する。
【００１９】
ＨＤＭＩケーブル６はＣＥＣ（Consumer Electronics Control）制御ライン６ＡとＨＤＭＩライン６Ｂとを有する。ＣＥＣ制御ライン６Ａは、各電子機器のＣＰＵ１６、２６、３６、４６、および５６の間でシリアルに接続される。ＨＤＭＩライン６Ｂは、映像信号および音声信号を伝送するように各電子機器の間でそれぞれ接続される。
【００２０】
図２（Ｂ）は、図２（Ａ）に示すように各電子機器を接続した場合に、各電子機器に設定される物理アドレスを表記した物理アドレス表記例６０であり、デジタルテレビ１は「０．０．０．０」、ＡＶアンプ２は「１．０．０．０」、セットトップボックス３は「１．１．０．０」、ＤＶＤプレーヤ４は「１．２．０．０」、ＨＤＤレコーダ５は「２．０．０．０」と記述される。物理アドレスは、デジタルテレビ１を０階層目とし、デジタルテレビ１に接続されている電子機器の入力の番号を１階層目の数字として記述する。２階層目、３階層目、４階層目に関しても同様に記述され、デジタルテレビ１から数えて５階層のＨＤＭＩシステム１００を構成することができる。
【００２１】
図３は、本発明の第１の実施の形態に係わるテレビの構成を示すブロック図である。  
デジタルテレビ１は、アンテナ１Ａを介して地上デジタルテレビ１放送波（放送信号）を受信し、放送波を復調して番組信号を出力するチューナ１０と、チューナ１０の出力を映像データ、音声データ、字幕データ等の種別に分別して処理する信号処理部１１と、信号処理部１１の映像データおよび字幕データの出力をデコードする映像処理部１２Ａと、映像処理部１２Ａの出力を表示用の映像信号に変換して出力する表示出力処理部１３Ａと、表示出力処理部１３Ａの出力をＬＣＤ（Liquid Crystal Display）に表示する表示部１４Ａと、信号処理部１１の音声データの出力をデコードする音声処理部１２Ｂと、音声処理部１２Ｂの出力を音声信号に変換して出力する音声出力処理部１３Ｂと、音声出力処理部１３Ｂの出力を音声に変換するスピーカ１４Ｂと、ＨＤＭＩケーブル６のＨＤＭＩライン６Ｂを介して外部から映像データおよび音声データを受信するＨＤＭＩ受信部１５と、ＨＤＭＩケーブル６のＣＥＣ制御ライン６Ａを介して外部からＣＥＣ制御データを送受信しデジタルテレビ１の各部を制御するＣＰＵ（Central Processing Unit）１６と、ＣＰＵ１６が処理するデータを一時的に記憶するＲＡＭ（RandomAccess Memory）１７と、論理アドレス割り当てテーブル１８Ａ、アドレスリスト１８Ｂ、およびファームウエア等のデータを不揮発に記録するＲＯＭ（Read Only Memory）１８と、複数のスイッチ等からなり、それらの入力に基づいてデジタルテレビ１を操作する操作部１９と、リモコン１Ｂから赤外線信号を用いて送信される命令を受信する受光部２０とを有する。各部は、バス２１によって相互に接続される。
【００２２】
なお、ＨＤＭＩケーブル６は、図示しないＨＤＭＩコネクタに接続されＨＤＭＩのインターフェースを介してＨＤＭＩ受信部１５およびＣＰＵ１６にそれぞれ接続される。
【００２３】
図４は、本発明の第１の実施形態に係わる論理アドレス割り当てテーブルの構成を示す表である。  
図４に示すように、論理アドレス割り当てテーブル１８Ａは、ＨＤＭＩ−ＣＥＣの規格上での論理アドレス１８０とデバイスナンバー１８１とデバイスタイプ１８２を対応付ける表であり、論理アドレス１８０は「０」から「１５」まで１６個用意される。
【００２４】
論理アドレス１８０は、「０」から「１１」までは論理アドレス割り当てテーブル１８Ａに表記された通りのデバイスナンバー１８１およびデバイスタイプ１８２が設定されているが、論理アドレス１８０の「１２」および「１３」は、「Ｈｉｇｈ−Ｄｅｆｉｎｉｔｉｏｎ Ｍｕｌｔｉｍｅｄｉａ Ｉｎｔｅｒｆａｃｅ Ｓｐｅｃｉｆｉｃａｔｉｏｎ Ｖｅｒｓｉｏｎ １．３ａ」ではデバイスナンバー１８１およびデバイスタイプ１８２ともに設定されておらず、この論理アドレス１８０は使用することができない。
【００２５】
論理アドレス１８０の「１４」は、「Ｆｒｅｅ Ｕｓｅ」のため、任意のデバイスナンバー１８１およびデバイスタイプ１８２を設定できる。例えば、レコーディングデバイス１からレコーディングデバイス３までを使用し、さらにレコーディングデバイスをもう１台追加したい場合等に使用することができる。論理アドレス１８０の「１５」は、機器単体で使用することはできないが、命令を実行するとその他の論理アドレスを使用している機器以外のすべての機器に命令が送信される。
【００２６】
図５は、本発明の第１の実施形態に係わるアドレスリストの構成を示す表である。  
図５に示すように、アドレスリストは、デジタルテレビ１がＨＤＭＩケーブル６を介して接続されているＣＥＣ機器の接続を確認した場合に、そのＣＥＣ機器の物理アドレス１８３およびデバイスネーム１８４が書き込まれることで作成される。ここでは、図２（Ａ）および図２（Ｂ）に示すＨＤＭＩシステム１００において、デジタルテレビ１がＡＶアンプ２、セットトップボックス３、ＤＶＤプレーヤ４、およびＨＤＤレコーダ５の接続を確認した場合を表記している。
【００２７】
以下に、本発明の第１の実施の形態におけるテレビの動作について各図を参照しつつ説明する。
【００２８】
まず、操作部１９またはリモコン１Ｂを操作することによりデジタルテレビ１の電源を投入すると、ＣＰＵ１６はデジタルテレビ１の起動処理を行う。起動処理は、各部の初期化および設定データの読み込み等の動作からなり、ＣＰＵ１６はそれらの起動処理とともにＨＤＭＩケーブル６を介して接続されたＣＥＣ機器の接続確認を行う。接続確認は、論理アドレス割り当てテーブル１８Ａに基づいて行われ、論理アドレス１８０のそれぞれに接続されているＣＥＣ機器の物理アドレス１８３およびデバイスネーム１８４を書き込むことで実行される。
【００２９】
論理アドレス１８０のそれぞれに接続を確認する場合に、ＣＰＵ１６はＨＤＭＩ規格１．３ａで定める「<Give Physical Address>」というコマンドを用い、接続されているＣＥＣ機器にポーリングする。ポーリングは、接続の確実性を向上させるために、例えば５回繰り返して行う。ポーリングを実行した論理アドレス１８０にＣＥＣ機器が接続されていると、ＣＥＣ機器はポーリングに対する応答として物理アドレス１８３およびデバイスネーム１８４をデジタルテレビ１に送信する。ただし、論理アドレス１８０の「０」は、デジタルテレビ１自身であり、まず最初に自らを論理アドレス１８０の「０」に登録する。
【００３０】
デジタルテレビ１は、接続確認を含む起動処理を全て終了すると通常動作を開始する。なお、各論理アドレスに対してポーリングを５回行うことで、起動時の接続確認全体に約２〜３秒程度の時間を要する。
【００３１】
リモコン１Ｂは通常デジタルテレビ１を操作するためだけの入力装置であり、リモコン５Ｂは通常ＨＤＤレコーダ５を操作するためだけの入力装置である。特定の操作を行ったり、切り替えスイッチを設けることによって、デジタルテレビ１に付属するリモコンによってソースデバイスであるＤＶＤレコーダ等を操作できる場合もある。しかし、切り替えて操作を行うと、元に戻す操作が必要である。ユーザビリティに乏しい。
【００３２】
このデジタルテレビ１は、表示部１４Ａにシンクデバイスから供給されている映像信号に基づく映像を表示している場合に、リモコンを操作することによってＤＶＤレコーダ等の操作を行うことが出来る。
【００３３】
図６を参照して、デジタルテレビ１のリモコンによってＤＶＤレコーダ５等のソースデバイスの操作を行うことための構成を説明する。
【００３４】
図６に示すように、デジタルテレビ１は、受光部２０、リモコンメッセージ受信部１０１、ＣＥＣ接続デバイス管理部１０２、映像ソース管理部１０３、ＣＥＣメッセージ生成部１０４、およびＣＥＣ送受信部１０５等を有する。なお、リモコンメッセージ受信部１０１、ＣＥＣ接続デバイス管理部１０２、映像ソース監視部１０３、ＣＥＣメッセージ生成部１０４は、ＣＰＵ１６によって実行されるソフトウェアである。
【００３５】
受光部２０は、リモコン１Ｂから照射されたコマンドに応じた赤外線信号を受光する。受光部２０は、受信した赤外線信号を電気信号に変換する。そして、受光部は、電気信号をリモコンメッセージ受信部１０１に送信する。
【００３６】
リモコンメッセージ受信部１０１は、電気信号を解析して、受信した赤外線信号に対応するコマンドを特定する。リモコンメッセージ受信部１０１は、特定したコマンドに対応するコマンド信号を映像ソース監視部１０３、およびＣＥＣメッセージ生成部１０４に出力する。
【００３７】
映像ソース監視部１０３は、ＣＥＣラインに流れる入力切り替え等のコマンド（<set stream path>メッセージ）を監視し、表示部１４Ａが表示している映像を供給しているソースデバイスを特定する機能を有する。<set stream path>メッセージは、映像を表示するソースデバイスを切り替えるメッセージであり、パラメータとしてソースデバイスの物理アドレスが付け加えられて出力される。また、映像ソース監視部１０３は、ＣＥＣライン上に流れるコマンドを監視して、ソースデバイスの状態を監視する機能を有する。また、シンクデバイスに表示しているソース機器を特定する情報(ＣＥＣ論理アドレス)とその状態を管理する。
【００３８】
また、映像ソース監視部１０３は、リモコンメッセージ受信部１０１が出力するコマンド信号中の入力切り替えコマンドを参照して、表示部１４Ａが表示している映像を供給しているソースデバイスを特定するようにしても良い。
【００３９】
ＣＥＣ接続デバイス管理部１０２は、図５に示すアドレスリストに登録されているデバイスに対応するリモコンコードと制御用ＣＥＣメッセージの対応表を管理する。実際の対応表は、ＲＯＭ１８に格納される。
【００４０】
ＣＥＣメッセージ生成部１０４は、リモコンメッセージ受信部１０１から入力されたリモコンコードを受信すると、映像ソース監視部１０３から操作対象となるシンクデバイスのＣＥＣ論理アドレスを取得する。リモコンコードとＣＥＣ論理アドレスを使って、ＣＥＣ接続デバイス管理部１０２に問い合わせることで操作対象のシンクデバイスへの制御用ＣＥＣメッセージを取得する。最後に、ＣＥＣ送受信部１０５にＣＥＣ論理アドレスおよびＣＥＣメッセージを送出する。
【００４１】
ＣＥＣ送受信部１０５は、上記、ＣＥＣメッセージ生成部１０４から受信したＣＥＣメッセージをＣＥＣ信号にエンコードしＣＥＣライン上に送出する。またＣＥＣライン上の信号をデコードし、メッセージに応じてＣＥＣ接続装置管理部に送信する。
【００４２】
次に、図７を参照して、デジタルテレビ１がリモコンからの赤外線信号を受信した場合の処理の手順について以下に説明する。
【００４３】
先ず、受光部２０が赤外線信号を受信し、受信した赤外線信号を電気信号に変換する（ステップＳ１１）。受光部２０は、電気信号をリモコンメッセージ受信部１０１に出力する。
【００４４】
リモコンメッセージ受信部１０１は、受け取った電気信号をリモコンコードに変換する（ステップＳ１２）。リモコンメッセージ受信部１０１は、リモコンコードを表示デバイス監視部１０３、およびＣＥＣメッセージ生成部１０４に出力する。
【００４５】
ＣＥＣメッセージ生成部１０４は、映像ソース監視部１０３に対して表示部１４Ａが表示している映像信号の提供元のデバイスの論理アドレスを問い合わせる（ステップＳ１３）。映像ソース監視部１０３は、問い合わせに対して表示部１４Ａが表示している映像の提供元の論理アドレスを回答する（ステップＳ１４）。
【００４６】
ＣＥＣメッセージ生成部１０４は、映像ソース監視部１０３から回答に基づいて、論理アドレスが“０”であるか否か、すなわちデジタルテレビ１自身であるか否かを判別する（ｓｔ１５）。論理アドレスが“０”であると判断した場合（ステップＳ１５のＹｅｓ）、ＣＥＣメッセージ生成部１０４は、内部の制御部にリモコンコードを送信する。制御部は、リモコンコードに応じた制御処理を行う（ステップＳ１６）。
【００４７】
論理アドレスが“０”ではないと判断した場合（ステップＳ１５のＮｏ）、ＣＥＣメッセージ生成部１０４は、映像ソース監視部１０３から送られた論理アドレスおよびリモコンコードをＣＥＣ接続デバイス管理部１０２に出力し、ＣＥＣ接続デバイス管理部１０２に論理アドレスおよびリモコンコードに対応するＣＥＣメッセージを問い合わせる（ステップＳ１７）。
【００４８】
ＣＥＣ接続デバイス管理部１０２は、対応表から論理アドレスおよびリモコンコードに対応するＣＥＣメッセージを検出する（ステップＳ１８）。検出されなければ（ステップＳ１９のＮｏ）、対応するＣＥＣメッセージが無い旨をＣＥＣメッセージ生成部１０４に通知する（ステップＳ２０）。対応するＣＥＣメッセージが検出された場合（ステップＳ１９のＹｅｓ）、ＣＥＣメッセージ生成部１０４は、対応するＣＥＣメッセージをＣＥＣメッセージ生成部１０４に通知する（ステップＳ２１）。ＣＥＣメッセージ生成部１０４は、ＣＥＣメッセージおよび論理アドレスをＣＥＣ送受信部１０５に出力する（ステップＳ２２）。
【００４９】
ＣＥＣ送受信部１０５は、ＣＥＣメッセージおよび論理アドレスをエンコードしてＣＥＣライン上に送出する。
【００５０】
以上の処理で、映像のソースがデジタルテレビ１に接続されているシンクデバイスの場合、デジタルテレビ１に付属しているリモコンを用いて、シンクデバイスを操作制御することが出来る。
【００５１】
（第２の実施形態）
次に、ＤＶＤレコーダ５に付属するリモコン５Ｂを用いて、デジタルテレビ（シンクデバイス）１に映像信号を供給している他のソースデバイスの操作を行うソースデバイスについて説明する。
【００５２】
図８は、本発明の第２の実施形態に係わるＤＶＤレコーダ５のリモコン制御に係わる構成を示すブロック図である。
【００５３】
図８に示すように、ＤＶＤレコーダ５は、受光部２２０、リモコンメッセージ受信部２０１、ＣＥＣ接続デバイス管理部２０２、映像ソース管理部２０３、ＣＥＣメッセージ生成部２０４、およびＣＥＣ送受信部２０５等を有する。なお、リモコンメッセージ受信部１０１、ＣＥＣ接続デバイス管理部１０２、映像ソース監視部１０３、ＣＥＣメッセージ生成部１０４は、例えばソースデバイスが有するプロセッサによって実行されるソフトウェアである。
【００５４】
受光部２２０は、リモコン５Ｂから照射されたコマンドに応じた赤外線信号を受光する。受光部２２０は、受光した赤外線信号を電気信号に変換する。そして、受光部は、電気信号をリモコンメッセージ受信部２０１に送信する。
【００５５】
リモコンメッセージ受信部２０１は、電気信号を解析して、受信した赤外線信号に対応するコマンドを特定する。リモコンメッセージ受信部２０１は、特定したコマンドに対応するコマンド信号をおよびＣＥＣメッセージ生成部２０４に出力する。
【００５６】
映像ソース監視部２０３は、デジタルテレビ１が出力するＣＥＣラインに流れる入力切り替え等のコマンド（<set stream path>メッセージ）を監視し、表示部１４Ａが表示している映像を供給しているソースデバイスを特定する機能を有する。<set stream path>メッセージは、映像を表示するソースデバイスを切り替えるメッセージであり、パラメータとしてソースデバイスの物理アドレスが付け加えられて出力される。また、映像ソース監視部２０３は、ＣＥＣライン上に流れるコマンドを監視して、ソースデバイスの状態を監視する機能を有する。また、シンクデバイスに表示しているソース機器を特定する情報(ＣＥＣ論理アドレス)とその状態を管理する。
【００５７】
また、映像ソース監視部２０３は、定期的にデジタルテレビ１宛に<Request Active Source>メッセージを出力し、<Request Active Source>メッセージに応答してデジタルテレビ１が返す<Active Source>メッセージを参照して、表示部１４Ａが表示している映像を供給しているソースデバイスを特定するようにしても良い。<Active Source>メッセージのパラメータには、表示部１４Ａが表示している映像を供給しているソースデバイスの物理アドレスが含まれる。
【００５８】
リモコンメッセージ受信部２０１から送られたコマンド信号から、入力切り替え等のコマンドを監視し、デジタルテレビ１が表示部１４Ａに表示している映像のソースを特定する機能、およびソース機器の状態を監視する機能を有する。また、映像のソースが、ソースデバイスの場合に、ソースデバイスを特定する情報（ＣＥＣ論理アドレス）とその状態を保持することができる。
【００５９】
ＣＥＣ接続デバイス管理部２０２は、デジタルテレビ１に接続されているシンクデバイスに対してリモコンコードと制御用ＣＥＣメッセージの対応表を生成／管理を行う。実際の対応表は、ＲＯＭに格納される。
【００６０】
ＣＥＣメッセージ生成部２０４は、リモコンメッセージ受信部２０１から入力されたリモコンコードを受信すると、映像ソース監視部２０３から操作対象となるシンクデバイスのＣＥＣ論理アドレスを取得する。リモコンコードとＣＥＣ論理アドレスを使って、ＣＥＣ接続デバイス管理部２０２に問い合わせることで操作対象のシンクデバイスへの制御用ＣＥＣメッセージを取得する。最後に、ＣＥＣ送受信部２０５にＣＥＣ論理アドレスおよびＣＥＣメッセージを送出する。
【００６１】
ＣＥＣ送受信部２０５は、上記、ＣＥＣメッセージ生成部１０５から受信したＣＥＣメッセージをＣＥＣ信号にエンコードしＣＥＣライン上に送出する。またＣＥＣライン上の信号をデコードし、メッセージに応じてＣＥＣ接続装置管理部に送信する。
【００６２】
次に、ＤＶＤレコーダ５がリモコン５Ｂからの赤外線信号を受信した場合の処理の手順について以下に説明する。
【００６３】
先ず、受信部２０が赤外線信号を受信し、受信した赤外線信号を電気信号に変換する（ステップＳ３１）。受光部２２０は、電気信号をリモコンメッセージ受信部２０１に出力する。
【００６４】
リモコンメッセージ受信部２０１は、受け取った電気信号をリモコンコードに変換する（ステップＳ３２）。リモコンメッセージ受信部２０１は、リモコンコードを表示デバイス監視部２０３、およびＣＥＣメッセージ生成部２０４に出力する。
【００６５】
ＣＥＣメッセージ生成部２０４は、映像ソース監視部２０３に対して表示部１４Ａが表示している映像信号の提供元のデバイスの論理アドレスを問い合わせる（ステップＳ３３）。映像ソース監視部２０３は、問い合わせに対して表示部１４Ａが表示している映像の提供元の論理アドレスを回答する（ステップＳ３４）。
【００６６】
ＣＥＣメッセージ生成部２０４は、映像ソース監視部２０３から回答に基づいて、映像の提供元の論理アドレスは自機が有する論理アドレスであるか否かを判別する（ステップＳ３５）。自機の論理アドレスであると判断した場合（ステップＳ３５のＹｅｓ）、ＣＥＣメッセージ生成部２０４は、自機（ＤＶＤレコーダ５）の内部の制御部にリモコンコードを送信する。制御部は、リモコンコードに応じた制御処理を行う（ステップＳ３６）。
【００６７】
自機の論理アドレスではないと判断した場合（ステップＳ３５のＮｏ）、デジタルテレビ１自身が映像を提供しているか否かを判別する（ステップＳ３７）。デジタルテレビ１自身が映像を提供していると判断場合（ステップＳ３７のＹｅｓ）、リモコン５Ｂから受信した信号に対する処理を止める。デジタルテレビ１自身が映像を提供していない場合（ステップＳ３７のＮｏ）、ＣＥＣメッセージ生成部２０４は、映像ソース監視部２０３から送られた論理アドレスおよびリモコンコードをＣＥＣ接続デバイス管理部２０２に出力し、ＣＥＣ接続デバイス管理部２０２に論理アドレスおよびリモコンコードに対応するＣＥＣメッセージを問い合わせる（ステップＳ３８）。
【００６８】
ＣＥＣ接続デバイス管理部２０２は、対応表から論理アドレスおよびリモコンコードに対応するＣＥＣメッセージを検出する（ステップＳ３９）。検出されなければ（ステップＳ４０のＮｏ）、検出されなかった旨をＣＥＣメッセージ生成部２０４に通知する（ステップＳ４１）。対応するＣＥＣメッセージが検出された場合（ステップＳ４０のＹｅｓ）、ＣＥＣメッセージ生成部２０４は、対応するＣＥＣメッセージをＣＥＣメッセージ生成部２０４に通知する（ステップＳ４２）。ＣＥＣメッセージ生成部２０４は、ＣＥＣメッセージおよび論理アドレスをＣＥＣ送受信部２０５に出力する（ステップＳ４３）。ＣＥＣ送受信部２０５は、ＣＥＣメッセージおよび論理アドレスをエンコードして、ＣＥＣ信号をＣＥＣライン上に送出する（ステップＳ４４）。
【００６９】
以上の処理で、映像のソースがデジタルテレビ１に接続されているシンクデバイスの場合、デジタルテレビ１に付属しているリモコンを用いて、シンクデバイスを操作制御することが出来る。
【００７０】
なお、リモコンは、加速度センサ等のモーションセンサを内蔵し、リモコンの動きに応じた信号を送るようなものであっても良い。
【００７１】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００７２】
【図１】第１の実施形態に係わるＨＤＭＩシステムを示す概略図
【図２】第１の実施形態に係わるＨＤＭＩシステムの構成を示すブロック図。
【図３】第１の実施の形態に係わるテレビの構成を示すブロック図。
【図４】第１の実施形態に係わる論理アドレス割り当てテーブルの構成を示す表。
【図５】第１の実施形態に係わるアドレスリストの構成を示す表。
【図６】デジタルテレビのリモコンによってＤＶＤレコーダ等のソースデバイスの操作を行うことための構成示す図。
【図７】第１の実施形態に係わる、デジタルテレビがリモコンからの赤外線信号を受信した場合の処理の手順を示すフローチャート。
【図８】第２の実施形態に係わるソースデバイスのリモコン制御に係わる構成を示すブロック図。
【図９】第２の実施形態に係わる、ソースデバイスがリモコンからの赤外線信号を受信した場合の処理の手順を示すフローチャート。
【符号の説明】
【００７３】
１００…ＨＤＭＩシステム，１０１…リモコンメッセージ受信部，１０２…ＣＥＣ接続デバイス管理部，１０３…映像ソース管理部，１０３…表示デバイス監視部，１０４…ＣＥＣメッセージ生成部，１０５…ＣＥＣ送受信部，１８０…論理アドレス，１８１…デバイスナンバー，１８２…デバイスタイプ，１８３…物理アドレス，１８４…デバイスネーム，２０１…リモコンメッセージ受信部，２０２…ＣＥＣ接続デバイス管理部，２０３…映像ソース管理部，２０３…映像ソース監視部，２０４…ＣＥＣメッセージ生成部，２０５…ＣＥＣ送受信部。
【図１】
2010004496.tif 000003
【図２】
2010004496.tif 000004
【図３】
2010004496.tif 000005
【図４】
2010004496.tif 000006
【図５】
2010004496.tif 000007
【図６】
2010004496.tif 000008
【図７】
2010004496.tif 000009
【図８】
2010004496.tif 000010
【図９】
2010004496.tif 000011